【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
多相の巻線（１１）を有する回転電機（１０）と、前記回転電機との間で電力の入出力を行う蓄電装置（４０）と、を備える回転電機システム（１００）に適用される駆動システム（７０）であって、
直列接続された上アームスイッチ（２２）と下アームスイッチ（２３）とを相毎に有し、それら上アームスイッチと下アームスイッチとの接続点が各相の巻線の両端のうち第１端に接続される第１インバータ（２０）と、
直列接続された上アームスイッチ（３２）と下アームスイッチ（３３）とを相毎に有し、それら上アームスイッチと下アームスイッチとの接続点が前記各相の巻線の両端のうち第２端に接続される第２インバータ（３０）と、
前記第１インバータと前記第２インバータとのうち、前記回転電機に電力を入出力する側のインバータにおける上、下アームスイッチにスイッチング駆動を実施し、前記回転電機に電力を入出力しない側のインバータにおける上、下アームスイッチのうちの少なくとも一方をオン状態に維持する中性点駆動を実施する駆動制御部と、
前記第１インバータと前記第２インバータとで、前記スイッチング駆動が実施されるインバータと、前記中性点駆動が実施されるインバータと、を切り替える切替制御部と、
前記蓄電装置と前記第１インバータとを接続する第１接続線（ＬＥ１）に設けられた第１スイッチ（５５）と、
前記蓄電装置と前記第２インバータとを接続する第２接続線（ＬＥ２）に設けられた第２スイッチ（５６）と、を備え、
前記切替制御部は、前記第１スイッチと前記第２スイッチとのうち、一方のスイッチをオン状態に切り替え、他方のスイッチをオフ状態に切り替え、
前記駆動制御部は、オン状態に制御されたスイッチ側のインバータに前記スイッチング駆動を実施し、オフ状態に制御されたスイッチ側のインバータに前記中性点駆動を実施する駆動システム。
【請求項２】
前記第１スイッチと前記第２スイッチとは、半導体スイッチである請求項１に記載の駆動システム。
【請求項３】
前記第１スイッチと前記第２スイッチとは、リレースイッチである請求項１または請求項２に記載の駆動システム。
【請求項４】
前記第１インバータの高電位側と前記第２インバータの高電位側とを接続する高電位側接続線（ＬＵ）と、
前記第１インバータの低電位側と前記第２インバータの低電位側とを接続する低電位側接続線（ＬＤ）と、
前記高電位側接続線と前記低電位側接続線との少なくとも一方に設けられた第３スイッチ（５３）と、
前記第３スイッチをオフ状態に維持し、前記スイッチング駆動と前記中性点駆動とにより前記回転電機に電力を入出力する第１モードと、前記第３スイッチをオン状態に維持し、前記高電位側接続線と前記低電位側接続線とを介して前記回転電機に電力を入出力する第２モードと、を切り替えるモード制御部と、を備え、
前記切替制御部は、前記第１モードにおいて前記スイッチング駆動が実施されるインバータと、前記中性点駆動が実施されるインバータと、を切り替え、
前記駆動制御部は、前記中性点駆動が実施されるインバータにおいて、上、下アームスイッチのうち、前記第３スイッチが設けられた側のスイッチをオン状態に維持する請求項１から請求項３までのいずれか一項に記載の駆動システム。
【請求項５】
前記切替制御部は、前記モード制御部が前記第１モードに切り替える毎に、前記スイッチング駆動が実施されるインバータと、前記中性点駆動が実施されるインバータと、を切り替える請求項４に記載の駆動システム。
【請求項６】
前記回転電機の駆動期間（ＹＨ１，ＹＨ２）を取得する駆動期間取得部を備え、
前記切替制御部は、前記駆動期間が所定期間（ＹＫ）経過した場合に、前記スイッチング駆動が実施されるインバータと、前記中性点駆動が実施されるインバータと、を切り替える請求項１から請求項５までのいずれか一項に記載の駆動システム。
【請求項７】
前記スイッチング駆動が実施されるインバータの温度（ＴＭ１，ＴＭ２）を取得する温度取得部を備え、
前記切替制御部は、前記温度取得部により取得された温度が所定の閾値温度（Ｔｔｇ）よりも高い場合に、前記スイッチング駆動が実施されるインバータと、前記中性点駆動が実施されるインバータと、を切り替える請求項１から請求項６までのいずれか一項に記載の駆動システム。
【請求項８】
前記切替制御部は、前記回転電機の駆動が停止される毎に、前記スイッチング駆動が実施されるインバータと、前記中性点駆動が実施されるインバータと、を切り替える請求項１から請求項７までのいずれか一項に記載の駆動システム。
【請求項９】
前記回転電機は、発電を行い前記蓄電装置に電力を出力する発電機能と、前記蓄電装置から供給される電力により回転する力行機能とを備え、
前記切替制御部は、前記発電が行われる作動時と前記力行が行われる作動時とで、前記スイッチング駆動が実施されるインバータと、前記中性点駆動が実施されるインバータと、を切り替える請求項１から請求項８までのいずれか一項に記載の駆動システム。
【請求項１０】
多相の巻線（１１）を有する回転電機（１０）と、前記回転電機との間で電力の入出力を行う蓄電装置（４０）と、を備える回転電機システム（１００）に適用される駆動システム（７０）であって、
直列接続された上アームスイッチ（２２）と下アームスイッチ（２３）とを相毎に有し、それら上アームスイッチと下アームスイッチとの接続点が各相の巻線の両端のうち第１端に接続される第１インバータ（２０）と、
直列接続された上アームスイッチ（３２）と下アームスイッチ（３３）とを相毎に有し、それら上アームスイッチと下アームスイッチとの接続点が前記各相の巻線の両端のうち第２端に接続される第２インバータ（３０）と、
前記第１インバータと前記第２インバータとのうち、前記回転電機に電力を入出力する側のインバータにおける上、下アームスイッチにスイッチング駆動を実施し、前記回転電機に電力を入出力しない側のインバータにおける上、下アームスイッチのうちの少なくとも一方をオン状態に維持する中性点駆動を実施する駆動制御部と、
前記第１インバータと前記第２インバータとで、前記スイッチング駆動が実施されるインバータと、前記中性点駆動が実施されるインバータと、を切り替える切替制御部と、を備え、
前記切替制御部は、前記回転電機の駆動が停止される毎に、前記スイッチング駆動が実施されるインバータと、前記中性点駆動が実施されるインバータと、を切り替える駆動システム。
【請求項１１】
多相の巻線（１１）を有する回転電機（１０）と、前記回転電機との間で電力の入出力を行う蓄電装置（４０）と、を備える回転電機システム（１００）に適用される駆動システム（７０）であって、
直列接続された上アームスイッチ（２２）と下アームスイッチ（２３）とを相毎に有し、それら上アームスイッチと下アームスイッチとの接続点が各相の巻線の両端のうち第１端に接続される第１インバータ（２０）と、
直列接続された上アームスイッチ（３２）と下アームスイッチ（３３）とを相毎に有し、それら上アームスイッチと下アームスイッチとの接続点が前記各相の巻線の両端のうち第２端に接続される第２インバータ（３０）と、
前記第１インバータと前記第２インバータとのうち、前記回転電機に電力を入出力する側のインバータにおける上、下アームスイッチにスイッチング駆動を実施し、前記回転電機に電力を入出力しない側のインバータにおける上、下アームスイッチのうちの少なくとも一方をオン状態に維持する中性点駆動を実施する駆動制御部と、
前記第１インバータと前記第２インバータとで、前記スイッチング駆動が実施されるインバータと、前記中性点駆動が実施されるインバータと、を切り替える切替制御部と、を備え、
前記回転電機は、発電を行い前記蓄電装置に電力を出力する発電機能と、前記蓄電装置から供給される電力により回転する力行機能とを備え、
前記切替制御部は、前記発電が行われる作動時と前記力行が行われる作動時とで、前記スイッチング駆動が実施されるインバータと、前記中性点駆動が実施されるインバータと、を切り替える駆動システム。
【手続補正２】
【補正対象書類名】明細書
【補正対象項目名】００７９
【補正方法】変更
【補正の内容】
【００７９】
・例えば、回転電機１０の動作が停止される毎に、第１Ｙ結線駆動と第２Ｙ結線駆動とが切り替えられてもよい。これにより、回転電機１０の停止時に、第１Ｙ結線駆動と第２Ｙ結線駆動とを切り替えることができる。なお、回転電機１０の停止時には、回転電機１０の停止中に限られず、回転電機１０の停止指令があった後、回転電機１０が回転を停止するまでの期間、及び、回転電機１０の起動指令があった後、回転電機１０が回転を開始するまでの期間が含まれる。